(57)【要約】【課題】本発明はダンボール製物品整理箱に関し、例えば葉書、封書等の郵便物、ダイレクトメール、書籍、新聞、またコンビニエンスストアー等で取扱う小物類、薬剤等の物品を区分けして整理、整頓を行ったり、保管、運搬するのに最適に用いられる。【解決手段】底板２、長手方向Ｘに対向して起立可能に連設されて上方に拡がるテーパ状の側板３,３、長手方向Ｘに交叉して起立可能に連設されて上方に拡がるテーパ状の対向する妻板４,４、側板３,３の両端に連設された接合フラップ５,５；５,５により形成される箱本体１と、側板又は妻板よりも高さＨ１が低く側板３,３又は妻板の内側に重合可能に設けられる支持板部６,６とを備え、支持板部は箱本体の側板の内側又は妻板の内側に着脱自在に設けるか、起伏自在に設ける。【選択図】図１
2007118969.tif 000002
【特許請求の範囲】
【請求項１】
底板、並びに該底板の長手方向に対向して起立可能に連設されて上方に拡がるテーパ状に形成された側板、および前記底板の長手方向に交叉して起立可能に連設されて上方に拡がるテーパ状に形成された対向する妻板、さらに前記側板の長手方向の両端に折曲可能に連設されて前記妻板に接合可能となる接合フラップにより形成される略有底箱状の箱本体と、
前記側板又は前記妻板よりも高さが低く前記側板の内側又は前記妻板の内側に重合可能に設けられる支持板部とを備えるダンボール製物品整理箱であって、
前記支持板部は、前記箱本体の前記側板の内側又は前記妻板の内側の底板に着脱自在に設けるか、または起伏自在に設けられることを特徴とするダンボール製物品整理箱。
【請求項２】
前記箱本体は、展開可能な１枚のダンボールを折曲して略有天箱状に組付け可能に設けられることを特徴とする請求項１に記載のダンボール製物品整理箱。
【請求項３】
前記支持板部は、展開可能な１枚のダンボールを折曲することにより形成され、
前記底板より僅かに小形状をなし、前記底板に貼着可能または着脱可能に重合される補助底板部と、
該補助底板部の長手方向に交叉する両側に細帯状の下縁面部を介して起伏可能に対向して連設される内板部と、
該内板部に細帯状の上縁面部を介して折曲、重合される外板部と、
前記内板部および前記外板部の上縁部から下方部に向けて所定間隔毎に対向して切除された所望深さの仕切板嵌入溝とにより形成され、前記側板の内側に重合可能に起伏自在に組付けられることを特徴とする請求項１または２に記載のダンボール製物品整理箱。
【請求項４】
前記支持板部は、展開可能な１枚のダンボールを折曲することにより形成され、
前記底板より僅かに小形状をなし、前記底板に貼着可能または着脱可能に重合される補助底板部と、
該補助底板部の長手方向の両側に下縁折曲部を介して起伏可能に対向して連設される内板部と、
該内板部に細帯状の上縁面部を介して折曲、重合される外板部と、
前記内板部と前記外板部との間に挟着される中芯板とから形成され、前記妻板の内側に重合可能に起伏自在に組付けられることを特徴とする請求項１または２に記載のダンボール製物品整理箱。
【請求項５】
前記側板および前記妻板の上部外側に鍔板を折曲して重合可能に連設したことを特徴とする請求項１〜４の何れか１の請求項に記載のダンボール製物品整理箱。
【請求項６】
前記箱本体は、前記妻板と前記接合フラップとが、また、前記妻板上部に順次、折曲された鍔板が、合成樹脂弾性可塑物により形成され、柱状体の外周には雄ねじ部が形成された雄取付材と、該雄取付材の前記雄ねじ部が螺合自在の雌ねじ筒部と、該雌ねじ筒部の長手方向には数本の割スリットを有する雌取付材とよりなる止着部品を用いて展開可能に組付けられることを特徴とする請求項１〜５の何れか１の請求項に記載のダンボール製物品整理箱。
【請求項７】
鍔板は、前記妻板と前記側板とに連設される細帯状の上方鍔板構成部と、該上方鍔板構成部に連設される外方鍔板構成部と、該外方鍔板構成部に細帯状の折曲片を介して連設されて前記外方鍔板構成部と同形状をなす内方鍔板構成部と、該内方鍔板構成部に細帯状の折曲片を介して連設された芯部鍔板構成部とより形成され、前記外方鍔板構成部と、前記内方鍔板構成部と、前記芯部鍔板構成部とを前記上方鍔板構成部、折曲片を介して順次折曲し、重合することにより厚肉に組付けられることを特徴とする請求項１〜６の何れか１の請求項に記載のダンボール製物品整理箱。
【請求項８】
箱本体に収納される物品を区分する仕切板は、組付時に対向する前記側板の内側形状に外形の少なくとも一部が適合する第１仕切板構成片部と、該第１仕切板構成片部に細帯状の上縁面部を介して折曲可能に連設された対称形状をなす第２仕切板構成片部と、該第２仕切板構成片部に細帯状で短寸の下縁面部を介して前記第１仕切板構成片部と同形状に形成されるとともに前記第１仕切板構成片部および前記第２仕切板構成片部との間に重合可能に折込まれる芯板部とにより形成され、前記第１仕切板構成片部と、前記第２仕切板構成片部と、前記芯板部とを前記上縁面部、前記下縁面部を介して順次折曲、重合することにより組上げられて前記仕切板嵌入溝内に嵌脱可能に嵌入されることを特徴とする請求項１〜７の何れか１の請求項に記載のダンボール製物品整理箱。
【請求項９】
箱本体内に収納される物品を区分する仕切板は、組付時に対向する前記側板の内側形状に外形の少なくとも一部が適合し、略同大の添設板が重合可能となす第１仕切板構成片部と、該第１仕切板構成片部の両端に折曲線を介して連設され、前記側板に沿って内容物の大きさに対応して所定長さを規制する１対の第１幅設定片部および該第１幅設定片部に対して折曲線を介して折曲可能に連設された１対の第２幅設定片部と、該第２幅設定片部に対して折曲線を介して折曲可能に連設され、前記第１仕切板構成片部に対し略半分の長さを有して各々前記妻板とは平行に配置される第２支持板構成半部とにより構成され、前記仕切板は前記側板と前記支持板部との間に前記第１幅設定片部と第２幅設定片部の折曲端を組込むことを特徴とする請求項１、または２、４〜７の何れか１に記載のダンボール製物品整理箱。
【請求項１０】
前記支持板部および／または前記仕切板には適宜配列にて所望個数の確認孔を設けたことを特徴とする請求項１〜９の何れか１に記載のダンボール製物品整理箱。
【発明の詳細な説明】
【技術分野】
【０００１】
本発明はダンボール製物品整理箱に関し、例えば葉書、封書等の郵便物、ダイレクトメール、書籍、新聞、雑誌、フレキシブルディスク、ＤＶＤ、またコンビニエンスストアー、スーパー等で取扱う小物類、さらには薬局等で取扱う薬剤や衣料品等の物品を区分して整理、整頓を行ったり、保管したり、運搬するのに最適に用いられる。
【背景技術】
【０００２】
従来、例えば内容物を収納したまま積み重ねて保管したり、運搬したりする積み重ねトレーは、ダンボール製のものとして、矩形状底板の４辺に対向する両側板及び両妻板を連接し、前記両妻板の高さを前記側板よりも高く形成して、その両側に延設した接合フラップを介して隣接する前記側板と前記妻板とを相互に固定し、かつ前記妻板の上縁に平行した２本の折線を介して細幅の頂壁を設けるとともに、その頂壁の両側にＬ形切り込みを設けて、該頂壁の延長上に妻板内面に固定する細幅の内折込フラップを区画し、かつ前記内折込フラップの両端延長上にコーナフラップを設けてこれを前記接合フラップの内面に固定したものがあった。
【０００３】
そして、この積み重ねトレーは、トレーを積み重ねる場合に、妻板の上縁に平行な２本の折線を設けたことにより形成される頂壁により上段に積み重ねるトレーの下面を受け、しかも、平面アングル状にトレーの隅角部に組付けられる上方に突出する妻板の一部と接合フラップのそれぞれの内側に上方のトレーを嵌合することにより積み重ねたトレーを前記突出した部分で係合させ、前後左右に動くことがないようにするものであった（例えば特許文献１参照。）。
【特許文献１】実用新案登録第２５６７８２６号公報
【発明の開示】
【発明が解決しようとする課題】
【０００４】
しかしながら、特許文献１に記載の上記従来の積み重ねトレーは、トレー本体の対向する側板よりも高く形成される妻板の一部と、該妻板に対し外側に直角に折曲される各接合フラップとのトレー本体の隅角部において上段のトレーの下面の隅部を嵌合することにより上段のトレーを支持する構造である。従って、対向する妻板の上縁全体および側板の上縁全体において上段の積み重ねトレーをはめ込んで下段のトレー本体により全体的に支持するものではないので、積み重ねトレーを積み重ねた場合に、前後左右への上段のトレーの移動防止が不充分になる。
【０００５】
すなわち、上記従来の積み重ねトレーは、側面の高さが低いので、トレー本体内に収納する内容物の高さに制限があり、しかも、比較的軽量な内容物を収納するのに適するものである。従って、上記従来の積み重ねトレーは、トレーの積み重ね段数が多くなり、上段の積み重ねトレーの荷重が例えば前後方向から下段に加わったり、または左右方向から下段に外力や荷重が加わると、妻板や特に該妻板よりも長さが長い側板には中間部における中膨みが生じ易くなるため、上段のトレーが荷崩れしたり、落込みが発生し易い。
【０００６】
また、特許文献１に記載の上記従来の積み重ねトレーは、内容物をトレー本体に収容しない非物品収納時におけるトレー本体の保管については、何らの対策を考慮したものではなく、積み重ねトレーを組立てて保管するのには、下段のトレー本体の妻板の一部と接合フラップとの間にその下部が嵌合される分だけしか、トレー本体の積み重ね高さは減殺されないので、内容物を収納するために、組立てた積み重ねトレーの保管には大容積が必要になり、広い保管場所を必要としていた。
【０００７】
本発明は上記従来の積み重ねトレーの欠点を解決し、全体的に荷重が大きかったり、大きな外容積の物品の収納に適し、箱本体を所望段数積み重ねた場合に、上段の箱本体の前後左右の何れの方向の移動が確実に防止されて上段の箱本体の荷崩れや落ち込みがなくなり、構造堅牢であり、また物品を箱本体に収納しない非物品収納時における組立後の箱本体の積み重ね保管にも全箱体の積み重ね高さが低くなり、保管に適するダンボール製整理箱を提供することを目的とする。
【課題を解決するための手段】
【０００８】
本発明は上記課題に鑑みなされ、請求項１に記載の発明は、
底板、並びに該底板の長手方向に対向して起立可能に連設されて上方に拡がるテーパ状に形成された側板、および前記底板の長手方向に交叉して起立可能に連設されて上方に拡がるテーパ状に形成された対向する妻板、さらに前記側板の長手方向の両端に折曲可能に連設されて前記妻板に接合可能となる接合フラップにより形成される略有底箱状の箱本体と、
前記側板又は前記妻板よりも高さが低く前記側板の内側又は前記妻板の内側に重合可能に設けられる支持板部とを備えるダンボール製物品整理箱であって、
前記支持板部は、前記箱本体の前記側板の内側又は前記妻板の内側の底板に着脱自在に設けるか、または起伏自在に設けられることを特徴とする。
【０００９】
また、本発明の請求項２の発明は、請求項１において、前記箱本体は、展開可能な１枚のダンボールを折曲して略有天箱状に組付け可能に設けられることを特徴とする。
【００１０】
また、本発明の請求項３に記載の発明は、請求項１または２において、前記支持板部は、展開可能な１枚のダンボールを折曲することにより形成され、
前記底板より僅かに小形状をなし、前記底板に貼着可能または着脱可能に重合される補助底板部と、
該補助底板部の長手方向に交叉する両側に細帯状の下縁面部を介して起伏可能に対向して連設される内板部と、
該内板部に細帯状の上縁面部を介して折曲、重合される外板部と、
前記内板部および前記外板部の上縁部から下方部に向けて所定間隔毎に対向して切除された所望深さの仕切板嵌入溝とにより形成され、前記側板の内側に重合可能に起伏自在に組付けられることを特徴とする。
【００１１】
また、本発明の請求項４に記載の発明は、請求項１〜３の何れか１の請求項において、
前記支持板部は、展開可能な１枚のダンボールを折曲することにより形成され、
前記底板より僅かに小形状をなし、前記底板に貼着可能または着脱可能に重合される補助底板部と、
該補助底板部の長手方向の両側に下縁折曲部を介して起伏可能に対向して連設される内板部と、
該内板部に細帯状の上縁面部を介して折曲、重合される外板部と、
前記内板部と前記外板部との間に挟着される中芯板とから形成され、前記妻板の内側に重合可能に起伏自在に組付けられることを特徴とする。
【００１２】
また、本発明の請求項５に記載の発明は、請求項１〜４の何れか１の請求項において、
前記側板および前記妻板の上部外側に鍔板を折曲して重合可能に連設したことを特徴とする。
【００１３】
また、本発明の請求項６に記載の発明は、請求項１〜５の何れか１の請求項において、
前記箱本体は、前記妻板と前記接合フラップとが、また、前記妻板上部に順次、折曲された鍔板が、合成樹脂弾性可塑物により形成され、柱状体の外周には雄ねじ部が形成された雄取付材と、該雄取付材の前記雄ねじ部が螺合自在の雌ねじ筒部と、該雌ねじ筒部の長手方向には数本の割スリットを有する雌取付材とよりなる止着部品を用いて展開可能に組付けられることを特徴とする。
【００１４】
また、本発明の請求項７に記載の発明は、請求項１〜６の何れか１の請求項において、
鍔板は、前記妻板と前記側板とに連設される細帯状の上方鍔板構成部と、該上方鍔板構成部に連設される外方鍔板構成部と、該外方鍔板構成部に細帯状の折曲片を介して連設されて前記外方鍔板構成部と同形状をなす内方鍔板構成部と、該内方鍔板構成部に細帯状の折曲片を介して連設された芯部鍔板構成部とより形成され、前記外方鍔板構成部と、前記内方鍔板構成部と、前記芯部鍔板構成部とを前記上方鍔板構成部、折曲片を介して順次折曲し、重合することにより厚肉に組付けられることを特徴とする。
【００１５】
また、本発明の請求項８に記載の発明は、請求項１〜７の何れか１の請求項において、
箱本体に収納される物品を区分する仕切板は、組付時に対向する前記側板の内側形状に外形の少なくとも一部が適合する第１仕切板構成片部と、該第１仕切板構成片部に細帯状の上縁面部を介して折曲可能に連設された対称形状をなす第２仕切板構成片部と、該第２仕切板構成片部に細帯状で短寸の下縁面部を介して前記第１仕切板構成片部と同形状に形成されるとともに前記第１仕切板構成片部および前記第２仕切板構成片部との間に重合可能に折込まれる芯板部とにより形成され、前記第１仕切板構成片部と、前記第２仕切板構成片部と、前記芯板部とを前記上縁面部、前記下縁面部を介して順次折曲、重合することにより組上げられて前記仕切板嵌入溝内に嵌脱可能に嵌入されることを特徴とする。
【００１６】
また、本発明の請求項９に記載の発明は、請求項１、２または４〜７の何れか１の請求項において、箱本体内に収納される物品を区分する仕切板は、組付時に対向する前記側板の内側形状に外形の少なくとも一部が適合し、略同大の添設板が重合可能となす第１仕切板構成片部と、該第１仕切板構成片部の両端に折曲線を介して連設され、前記側板に沿って内容物の大きさに対応して所定長さを規制する１対の第１幅設定片部および該第１幅設定片部に対して折曲線を介して折曲可能に連設された１対の第２幅設定片部と、該第２幅設定片部に対して折曲線を介して折曲可能に連設され、前記第１仕切板構成片部に対し略半分の長さを有して各々前記妻板とは平行に配置される第２支持板構成半部とにより構成され、前記仕切板は前記側板と前記支持板部との間に前記第１幅設定片部と第２幅設定片部の折曲端を組込むことを特徴とする。
【００１７】
また、本発明の請求項１０に記載の発明は、請求項１〜９の何れか１の請求項において、前記支持板部および／または前記仕切板には適宜配列にて所望個数の確認孔を設けたこと特徴とする。
【発明の効果】
【００１８】
本発明は上記従来の欠点を解決し、全体的に上記従来の積み重ねトレーの欠点を解決し、全体的に荷重が大きかったり、大きな外容積の物品の収納に適し、箱本体を所望段数積み重ねた場合に、上段の箱本体の前後左右何れの方向の移動が確実に防止されて上段の箱本体の荷崩れや落込みがなくなり、構造堅牢であり、また物品を箱本体に収納しない非物品収納時における組立後の箱本体の積み重ね保管にも全箱体の積み重ね高さが低くなり、保管に適するダンボール製整理箱を提供することを目的とする。
【発明を実施するための最良の形態】
【００１９】
以下、図面に従って本発明の実施の最良の形態により、本発明の詳細を説明する。
【００２０】
図１は本発明のダンボール製物品整理箱の実施形態１を示し、組立状態の斜視図、図２は同じく長手方向の断面図、図３は同じく物品を箱本体内に収納した物品収納時に数個の箱本体を積重ねた状態の斜視図、図４は同じく物品を箱本体内に収納した物品収納時に数個の箱本体を積重ねた状態の長手方向の断面図、図５は同じく支持板部を箱本体内の底部に伏倒して物品を収納しない非物品収納時の斜視図、図６は同じく非物品収納時に箱本体を積重ねた状態の斜視図、図７は同じく長手方向に交差する方向の断面図、図８は同じく積み重ね状態での箱本体の底部空間を示す拡大断面図、図９は同じく積み重ね状態の箱本体の長手方向を示す断面図、図１０は同じく本実施形態１を構成する支持板部を示す展開図、図１１は同じく本実施形態１を構成する仕切板を示す展開図、図１２は同じく本実施形態１を構成する止着部品を示す拡大断面図、図１３は同じく本実施形態１のダンボール製物品整理箱における箱本体を構成する展開図である。
【００２１】
本実施形態１は、底板２、並びに該底板２の長手方向Ｘに対向して起立可能に連設されて上方に拡がるテーパ状に形成された側板３,３、および前記底板２の長手方向Ｘに交叉して起立可能に連設されて上方に拡がるテーパ状に形成された対向する妻板４,４、さらに前記側板３,３の長手方向の両端に折曲可能に連設されて前記妻板４,４に接合可能となる接合フラップ５,５；５,５により形成される略有底箱状の箱本体１と、前記側板３,３又は前記妻板４,４よりも高さＨ１が低く前記側板３,３の内側又は前記妻板４,４の内側に重合可能に設けられる支持板部６,６とを備えるダンボール製物品整理箱であって、支持板部６,６は、前記箱本体１の前記側板３,３の内側の底板２に起伏着脱自在に設けることを特徴とする。
【００２２】
すなわち、物品Ｍを前記箱本体１に収納する物品収納時には例えば図３、図４に示すように上段の箱本体１の下方部１ａが下段の箱本体１の各対向する前記側板３,３と前記妻板４,４との内側に嵌入されて前記箱本体１は所望数段積重ねられるとともに、上段の箱本体１の下底部１ａが下段の箱本体１に設ける前記支持板部６,６上に載置され、物品Ｍを収納しない物品非収納時には例えば図２、図５、図６、図７、図８、図９に示すように前記支持板部６,６は退避されて箱本体１は積重ねられる。
【００２３】
また、前記箱本体１は、前記妻板４,４と前記接合フラップ５,５；５,５とが、また、前記妻板４,４の上部に順次、折曲された鍔板７,７が、図１２に示すような合成樹脂弾性可塑物により形成され、先端側の柱状体８ａに連なり、基端には螺子頭部形式のフランジ８ｂとを設け、柱状体８ａの外周には雄ねじ部８ｃが形成された雄取付材８と、該雄取付材８の前記雄ねじ部８ｃが螺合自在であり、フランジ９ｂを有する雌ねじ筒部９ａと、該雌ねじ筒部９ａの長手方向には数本の割スリット９ｃを設ける雌取付材９とよりなる止着部品１０を用いて図１３に示されるように展開可能に組付けられる。
【００２４】
前記物品Ｍは、例えば葉書、封書等の郵便物、ダイレクトメール、書籍、新聞、雑誌、フレキシブルディスク、ＤＶＤ、またコンビニエンスストアー、スーパー等で取扱う小物類、さらには薬局等で取扱う薬剤や衣料品等がある。
【００２５】
また、１１は前記支持板部６,６および／または後記仕切板２８に適宜配列にて設けられる所望個数の確認孔であり、この確認孔１１を設けるのは、箱本体１内に区分されて収容される物品Ｍが例えば葉書、封書等の郵便物、ダイレクトメール、フレキシブルディスク、ＤＶＤ、またコンビニエンスストアー、スーパー等で取扱う小物類、さらには薬局等で取扱う薬剤等である場合に、これらの物品Ｍが妻板４と支切板２８との間、また、側板３と支持板部６との間等に不用意に差し挟まれることにより見落としを防止して仕分作業を迅速かつ確実に行うためのものである。
【００２６】
また、前記側板３,３の内側に重合可能に且つ起伏自在に設けられる前記支持板部６,６は、図１０に示すように、展開可能な１枚のダンボールＰを折曲することにより形成され、前記底板２より僅かに小形状をなし、前記底板２に本実施形態１では物品Ｍの荷重に対する強度を向上するために貼着可能に重合される補助底板部１６と、該補助底板部１６の長手方向Ｘ′に交叉する両側に細帯状の下縁面部１７を介して起伏可能に対向して連設される内板部１８と、該内板部１８に細帯状の上縁面部１９を介して折曲、重合される外板部２０と、前記内板部１８および前記外板部２０の上縁部から下方部に向けて両端および所定間隔毎に対向して切除された所望深さの仕切板嵌入溝２１′；２１・・・；２１′とにより形成され、前記側板３,３の内側近傍に起伏自在に組付けられる。また、補助底板部１６は、底板２に必ずしも貼着可能に重合することなく、着脱可能に底板２に重合することもできる。すなわち、この支持板部６,６は、前述のように物品Ｍを前記箱本体1に収納する物品収納時には上段の箱本体1の下底部１ａが起立された下段の箱本体１の前記内板部１８と外板部２０とが折曲された厚さの前記支持板部６,６上に載置され、しかも物品Ｍを箱本体１内に収納しない物品非収納時には前記支持板部６,６を伏動して退避させることにより箱本体１・・・を所望数段積重ねる。
【００２７】
また、前記鍔板７,７；７′,７′は、前記妻板４,４と前記側板３,３とに連設される細帯状の上方鍔板構成部２２,２２′と、該上方鍔板構成部２２,２２′に連設される外方鍔板構成部２３,２３′と、該外方鍔板構成部２３,２３′に細帯状の折曲片２４,２４′を介して連設されて前記外方鍔板構成部２３,２３′と同形状をなす内方鍔板構成部２５,２５′とにより形成される。さらに、前記鍔板６,６は、該内方鍔板構成部２５,２５に細帯状の折曲片２６,２６を介して芯部鍔板構成部２７,２７を連設して形成される。
【００２８】
そして、前記鍔板７′,７′は、前記外方鍔板構成部２３′と、前記内方鍔板構成部２５′とを上方鍔板構成部２２′、折曲片２４′を介して順次折曲し、重合することにより厚肉に組付けられる。また、前記鍔板７,７は、前記外方鍔板構成部２３と、前記内方鍔板構成部２５と、前記芯部鍔板構成部２７とを前記上方鍔板構成部２２、折曲片２４,２６を介して順次折曲し、重合することにより箱本体１を移動、運搬するのに把持し易くするために厚肉に組付けられる。
【００２９】
また、箱本体１に収納される物品Ｍを区分する仕切板２８は、本実施形態１では図１１に示すように、組付時に対向する前記側板３,３のテーパ状の内側形状に外形の少なくとも一部が適合する第１仕切板構成片部２９と、該第１仕切板構成片部２９に細帯状の上縁面部３０を介して折曲可能に連設された対称形状をなす第２仕切板構成片部３１と、該第２仕切板構成片部３１に細帯状で短寸の下縁面部３２を介して前記第１仕切板構成片部２９と同形状に形成されるとともに前記第１仕切板構成片部２９および前記第２仕切板構成片部３１との間に重合可能に折込まれる芯板部３３とにより形成され、前記第１仕切板構成片部２９と、前記第２仕切板構成片部３１と、前記芯板部３３とを前記上縁面部３０、前記下縁面部３２を介して順次折曲、重合することにより組上げられて前記仕切板嵌入溝２１′；２１・・；２１′内に嵌脱可能に嵌入される。
【００３０】
また、この仕切板２８は、箱本体１に物品Ｍを収納する使用時に、前述のように組付時に対向する前記側板３,３のテーパ状の内側形状に外形の少なくとも一部が適合する第１仕切板構成片部２９と、第２仕切板構成片部３１と、前記芯板部３３とを三重に細帯状の上縁面部３０および下縁面部３２を介して折曲して組上げた場合に、箱本体１の下底部１ａの横幅の長さｌ１と、仕切板２８の上縁に相当する上縁面部３０の長さｌ２と、仕切板２８の下縁に相当する下縁面部３２の長さｌ３との関係は、仕切板２８を箱本体１のテーパ状の内形状に合わせて組付けた場合に、前記支持板部６,６と協同して積重ねた上段の箱本体１の下底部１ａを支持するために、下記[式１]を満足する。
[式１]
ｌ１＜ｌ２＞ｌ３・・・・式１の関係である。
となる。
ここに、ｌ１；箱本体１の下底部１ａの横幅の長さ
ｌ２；仕切板２８の上縁に相当する上縁面部３０の長さ
ｌ３；仕切板２８の下縁に相当する下縁面部３２の長さである。
【００３１】
さらに、３４は前記鍔板７′,７′の前記外方鍔板構成部２３′,２３′の長手方向の両側に折曲可能に連設された鍔部連結片部であり、この鍔部連結片部３４,３４は前記鍔板６,６内に差し込まれて止着部品１０にて止着することにより鍔板７,７；７′,７′相互は構造堅牢に連結される。
【００３２】
本実施形態１のダンボール製物品整理箱は以上の構成からなり、箱本体１は、１枚のダンボールＰよりなる箱本体１を図１３に示すような展開状態から組上げるには、底板２に対して該底板２の長手方向Ｘに対向して連設されて上方に拡がるテーパ状に形成された側板３,３と、前記底板２の長手方向Ｘに交叉して対向して連設して上方に拡がるテーパ状に形成された妻板４,４とを四方から起立し、前記側板３,３の長手方向の両端に連設された接合フラップ５,５；５,５を平面略直角に折曲することにより接合フラップ５,５；５,５を前記妻板４,４の外側に接合する。
【００３３】
そして、前記側板３,３および前記妻板４,４の上部外側に連設した鍔板７,７；７′,７′の細帯状の上方鍔板構成部２２,２２′と、該上方鍔板構成部２２,２２′に連設される外方鍔板構成部２３,２３′と、該外方鍔板構成部２３,２３′に細帯状の折曲片２４,２４′を介して連設されて前記外方鍔板構成部２３,２３′と同形状をなす内方鍔板構成部２５,２５′と、さらに、前記鍔板７,７においては内方鍔板構成部２５,２５に細帯状の折曲片２６,２６を介して連設された芯部鍔板構成部２７,２７とを断面直角に順次折曲し、重合することにより妻板４,４の上部外側に鍔板７,７を、また、側板３,３の上部外側に鍔板７′,７′を肉厚に形成する。
【００３４】
それから、図１２に示すように合成樹脂弾性可塑物により形成され、先端側の柱状体８ａに連なり、基端にはフランジ８ｂを設け、柱状体８ａの外周には雄ねじ部８ｃが形成された雄取付材８の前記雄ねじ部８ｃを、フランジ９ｂを有する雌取付材９の雌ねじ筒部９ａ内に強挿するか、螺入することにより、雄取付材８の雄ねじ部８ｃを雌取付材９の雌ねじ筒部９ａ内に螺合し、雄取付材８のフランジ８ｂと雌取付材９のフランジ９ｂとで外側および内側から挟持するようにして妻板４,４と接合フラップ５,５；５,５とを、また、妻板４,４の上部に順次、折曲されて鍔板７′,７′の長手方向の両端に設けた鍔部連結片部３４,３４が折曲されて差し込まれた鍔板７,７を組付けて略有底箱状のダンボール製の箱本体１を構成する。
【００３５】
そして、箱本体１の内部に物品Ｍを収納しない物品非収納時には前記支持板部６,６を前記底板２に重合する補助底板部１６上に伏倒して箱本体１・・・を所望数段積重ねる（図６、図７、図８、図９参照。）。
【００３６】
この時、下段の箱本体１内の補助底板部１６上に支持板部６,６を伏倒すれば箱本体１を積み重ねる邪魔にならないので、上段の箱本体１・・・の下方部は下段の箱本体１の妻板４,４と側板３,３と、底板２とで囲まれる上方に拡がるテーパ状の内部空間内に深く挿入されるため、積重ねる箱本体１・・・全体の積重ね高さＨは低くなり、コンパクトになる。従って、箱本体１の内部に物品Ｍを収納しない物品非収納時において、物品Ｍを箱本体１内に収納する使用時に備えて多大な保管面積を要することなく、箱本体１・・・を適当場所に所望数段積み重ねて保管し、使用に備える。
【００３７】
この点、特許文献１に記載の上記従来の積み重ねトレーは、内容物をトレー本体に収容しない非物品収納時におけるトレー本体の保管については、何らの対策を考慮したものではなく、積み重ねトレーを組立てて保管するのには、下段のトレー本体の妻板の一部と接合フラップとの間にその下部が嵌合される分だけしか、トレー本体の積み重ね高さは減殺されないので、内容物を収納するために、組立てた積み重ねトレーの保管には大容積が必要になり、広い保管場所を必要としていたのとは異なる。
【００３８】
こうして、物品Ｍを前記箱本体1に収納する物品収納時には、底板２に重合している補助底板部１６に対して伏倒していた対向する支持板部６,６を側板３,３の内側に起立して重合させる。その後、この支持板部６,６の両端および所定間隔毎に対向して設けた仕切板嵌入溝２１′；２１・・・；２１′内に仕切板２８を嵌脱可能に嵌入することにより箱本体１内を箱本体１のテーパ状の内形状に少なくとも外形の一部が合致する仕切板２８により数個の収容空間に区分し、箱本体１を構造堅牢に組付ける。このように、箱本体１内は仕切板２８により数個の収容空間に区分されるので、例えば葉書、封書等の郵便物、ダイレクトメール、フレキシブルディスク、ＤＶＤ、またコンビニエンスストアー、スーパー等で取扱う小物類、さらには薬局等で取扱う薬剤等の物品Ｍを数個の前記収容空間内に区分して収納でき、整理、整頓に便利である。
【００３９】
この際、支持板部６,６および／または前記仕切板２８には適宜配列にて所望個数の確認孔１１が設けられているので、箱本体１内に区分されて収容される物品Ｍが例えば葉書、封書等の郵便物、ダイレクトメール、フレキシブルディスク、ＤＶＤであったり、またはコンビニエンスストアー、スーパー等で取扱う小物類、さらには薬局等で取扱う薬剤等である場合に、これらの物品Ｍが妻板４と仕切板２８との間、また、側板３と支持板部６との間等に不用意に差し挟まれる場合に、前記確認孔１１を通じて容易に差し挟まれる物品Ｍを確認することができ、見落としや紛失を防止することにより、物品Ｍの仕分作業を迅速かつ確実に行うことができる。
【００４０】
そして、仕切板２８により数個に区分された箱本体１内の収容空間に物品Ｍを区分して収納することにより箱本体１内が一杯になった場合に、物品Ｍにより一杯の箱本体１を適当な保管場所まで運搬し、所望数段積み重ねる。
【００４１】
この際、側板３,３の外側上部に上方鍔板構成部２２′と、外方鍔板構成部２３′と、折曲片２４′と、内方鍔板構成部２５′とを順次巻き込むように断面略直角に折曲することにより肉厚に形成される鍔板７′,７′と、妻板４,４の上部には上方鍔板構成部２２と、外方鍔板構成部２３と、折曲片２４と、内方鍔板構成部２５と、折曲片２６と、芯部鍔板構成部２７とを巻き込むように折曲することにより厚肉に形成される鍔板７,７とが設けられているので、箱本体１内に仕切板２８を用いて区分される収容空間内に物品Ｍが一杯に収納されている場合でも鍔板７,７、または鍔板７′,７′の何れかを確実に把持することにより箱本体１の運搬操作が容易に行える。
【００４２】
そして、箱本体１の上方に拡がるテーパ状の内形状に組付けられている側板３,３の内側に重合して起立されている支持板部６,６は、該側板３,３よりも高さＨ1が低いとともに、同じくテーパ状の内形状に組付けられている妻板４,４の内側に重合して組込まれる仕切板２８,２８は、妻板４,４よりも高さＨ1が低く、且つ支持板部６,６と同じ高さにて前記箱本体１内に組付けられているので、上段に積み重ねられる箱本体１の下底部１ａは下段の箱本体１の側板３,３と妻板４,４とにより全体的に周囲を囲まれて下段の箱本体１内の支持板部６,６；仕切板２８,２８上に全体的に偏りなく平均的に荷重を分散した状態で支持される。
【００４３】
この際、箱本体１の上方に拡がるテーパ状の内形状に合わせて側板３,３に重合されている支持板部６,６は、内板部１８と外板部２０とが細帯状の上縁面部１９を介して二枚重ねに折曲、重合されているので、この支持板部６,６上に上段に積重ねられる箱本体１の下底部１ａは確実に載置される。
【００４４】
しかも、この支持板部６,６に対向して設けた仕切板嵌入溝２１′；２１・・・；２１′内に嵌入されている仕切板２８は、側板３,３のテーパ状の内側形状に外形の少なくとも一部が適合して第１仕切板構成片部２９と、第２仕切板構成片部３１と、芯板部３３とを三重に細帯状の上縁面部３０および下縁面部３２を介して折曲して組上げられているので、仕切板２８の下縁となる下縁面部３２の長さｌ３よりも長い長さｌ２の上縁面部３０上に、積重ねられた上段の箱本体１の横幅の長さｌ１の下底部１ａは確実に支持される。従って、箱本体１・・・を所望数段積み重ねた場合に、上段に位置する箱本体１・・・が前後左右へ移動するのが確実に防止される。
【００４５】
すなわち、特許文献１に記載の上記従来の積み重ねトレーは、側板の高さが低いので、トレー本体内に収納する内容物の高さに制限がある。しかも、比較的軽量な内容物を収納するのに適するものである。そして、トレーの積み重ね段数が多くなり、上段の積み重ねトレーの荷重が例えば前後方向から下段に加わったり、または左右方向から下段のトレーに加わると、妻板や特に該妻板よりも長さが長い側板には中間部における中膨みが生じ易くなるので、上段のトレーが荷崩れしたり、落込みが発生し易いものであるのに対して本実施形態１では荷重が大きかったり、大きな外容積の物品Ｍの収納に適し、箱本体１・・・を所望段数積み重ねた場合に、上段の箱本体１の前後左右の何れの方向の移動も確実に防止されて上段の箱本体１の荷崩れや落ち込みがなく、構造堅牢である。
【００４６】
また、１枚のダンボールＰにより形成された本実施形態１の箱本体１は、底板２には、該底板２より僅かに小形状をなした補助底板部１６が重合して貼着され、しかも、該補助底板部１６の長手方向Ｘ′に交叉する両側には細帯状の下縁面部１７を介して起伏可能に対向して連設される内板部１８と、該内板部１８に細帯状の上縁面部１９を介して折曲、重合される外板部２０とよりなる支持板部６,６が起立されて側板３,３の内側に重合され、さらには支持板部６,６の前記内板部１８および前記外板部２０の上縁部から下方部に向けて両端および所定間隔毎に対向して切除された所望深さの仕切板嵌入溝２１′；２１・・・；,２１′には前述のように仕切板２８の両端が嵌入されることにより箱本体１内に組込まれる。このうち、対向する妻板４,４の内側にそれぞれ仕切板２８,２８が重合して組込まれ、前記支持板部６,６と協同して箱本体１の内側周囲に重合して組付けられる。従って、本実施形態１の箱本体１はダンボールＰで形成されながら、構造堅牢な仕上がりになり、しかも軽量である。
【００４７】
また、箱本体１の耐用年数が経過して廃棄する等する場合には、合成樹脂弾性可塑物により形成された雄取付材８の雄ねじ部８ｃを雌取付材９の雌ねじ筒部９ａ内から螺退するか、または強い抜出力により抜き出すことにより雄取付材８のフランジ８ｂと雌取付材９のフランジ９ｂとで外側および内側から挟持している妻板４,４と接合フラップ５,５；５,５とを、また、妻板４,４の上部に順次、折曲された鍔板７,７の組付けを解放する。このようにして、略有底箱状に組付けられているダンボールＰ製の箱本体１を図１３に示すように展開できるので、廃棄時の運搬が容易になり、焼却処分も容易に行える。また、焼却したり、再生しても無害であり、安全性は高い。
【００４８】
なお、止着部品１０としての雄取付材８と雌取付材９とは、合成樹脂弾性可塑物により形成されているので、弾性を発揮するのと、しかも、雌取付材９の雌ねじ筒部９ａには長手方向に数本の割スリット９ｃを設けているので、例えばドライバーの先端部を雌ねじ筒部９ａ内に差し込んで雌ねじ筒部９ａを拡開すれば、前述の雄取付材８の抜出時に、雄取付材８の雄ねじ部８ｃを雌ねじ筒部９ａから容易に抜き出すことができ、箱本体１の分解作業は容易に行える。
【００４９】
次に、図１４乃至図２１は本発明のダンボール製物品整理箱の実施形態２を示す。
【００５０】
この実施形態２では、箱本体１の妻板４,４の内側の底板２に妻板４,４の内側に重合可能に且つ起伏自在に支持板部６′,６′を設けた点で前記実施形態１では側板３,３の内側に支持板部６,６を重合可能に起伏自在に設けたのとは異なる。そして、該支持板部６′,６′は、展開可能な１枚のダンボールＰを折曲することにより形成され、前記底板２より僅かに小形状をなし、前記底板２に貼着可能または着脱可能に重合される補助底板部１６′と、該補助底板部１６′の長手方向の両側に下縁折曲部１７′,１７′を介して起伏可能に対向して連設される内板部１８′,１８′と、該内板部１８′,１８′に細帯状の上縁面部１９′を介して折曲、重合される外板部２０′,２０′と、前記内板部１８′,１８′と前記外板部２０′,２０′との間に挟着される中芯板５０とから形成され、前記妻板４,４の内側に重合可能に起伏自在に組付けられる。
【００５１】
そして、箱本体１内に収納される物品Ｍを区分する仕切板６０は、図２１に示すように組付時に対向する前記側板３,３の内側形状に外形の少なくとも一部が適合し、略同大の添設板６１Ａが重合可能となる第１仕切板構成片部６１と、該第１仕切板構成片部６１の両端に折曲線６２を介して連設され、前記側板３,３に沿って内容物Ｍの大きさに対応して所定長さを規制する１対の第１幅設定片部６３Ａ,６３Ａおよび該第１幅設定片部６３Ａ,６３Ａに対して折曲線６２′を介して折曲可能に連設された１対の第２幅設定片部６３Ｂ,６３Ｂと、該第２幅設定片部６３Ｂ,６３Ｂに対して折曲線６４を介して折曲可能に連設され、前記第１仕切板構成片部６１に対し略半分の長さを有して各々前記支持板部６′,６′とは平行に配置される第２仕切板構成半部６５Ａ,６５Ｂとにより構成される。添設板６１Ａを第１仕切板構成片部６１に重合可能としたのは補強のためである。
【００５２】
また、前記仕切板６０は前記側板３,３と前記支持板部７′との間に前記第１幅設定片部６３Ａ,６３Ａの折曲端縁部と前記第２仕切板構成半部６５Ａ,６５Ｂとの自由端に組込可能な突出片６６ａ,６６ｂを設ける。このうち、突出片６６ａは、前記第１幅設定片部６３Ａ,６３Ａの折曲端縁部において、三方をコ字状に切欠くことにより形成される。そして、本実施形態２では、仕切板６０を図１４に示すように平面コ字状に組み上げて１対の前記第１幅設定片部６３Ａ,６３Ａと第２幅設定片部６３Ｂ,６３Ｂとの端部を側板３,３と支持板部７′の両端との間に差し込むことにより箱本体１内を区分する収容空間を前記実施形態１よりも大別に区分して物品Ｍを、その大きさに応じて収容する。７０ａ,７０ｂはそれぞれ支持板部６′,６′と前記妻板４,４との対応位置に係脱自在に設けられた係止部品であり、この係止部品７０ａ,７０ｂは前記支持板部６′,６′が不用意に伏倒するのを防止するために起立して妻板４,４の内側に重合させるようにしたほかは、前記実施形態１と同様な構成、作用である。なお、前記係止部品７０ａ,７０ｂとしては、例えば雄状の係止鉤群と、この雄状の係止鉤群が係脱可能な雌状の係止鉤群とよりなる面状ファスナー、雄雌のスナップ等が最適に使用される。
【００５３】
なお、上記実施形態１では、また、補助底板部１６を底板２に重合して貼着することにより、この補助底板部１６に一体的に設けた支持板部６,６を起伏自在に箱本体１内に設けるようにして下段の箱本体１内に挿入する上段の箱本体１の下底部１ａを支持し、また、実施形態２では支持板部６′,６′を妻板４,４に重合するように底板２に起伏自在に設けたことにより下段の箱本体１内に挿入する上段の箱本体１の下底部１ａを支持しているけれども、これらの支持板部６,６；６′,６′は必ずしも側板３,３および妻板４,４に対して起伏自在に設けるのに限らず、着脱可能に箱本体１内に設けることにより物品Ｍを箱本体1に収納する物品収納時には上段の箱本体1の下底部１ａが下段の箱本体１の支持板部６,６；６′,６′上に載置され、しかも物品Ｍを箱本体１内に収納しない物品非収納時には前記支持板部６,６；６′,６′を退避させることにより箱本体１・・・を積重ねるのも本発明の適用範囲である。
【００５４】
また、前記実施形態１,２では、箱本体１、支持板部６,６；６′,６′、仕切板２８、６０はダンボールＰにより形成されているが、ダンボールＰに防水処理、断熱処理、保温処理の何れかを施した複合シートであってもよい。
【産業上の利用可能性】
【００５５】
本発明のダンボール製物品整理箱は、全体的に荷重が大きかったり、大きな外容積の物品の収納に適し、箱本体を所望段数積み重ねた場合に、上段の箱本体の前後左右何れの方向の移動が確実に防止されて上段の箱本体の荷崩れや落込みがなくなり、構造堅牢であり、また物品を箱本体に収納しない非物品収納時における組立後の箱本体の積み重ね保管にも全箱体の積み重ね高さが低くなり、保管に良い用途・機能に適する。
【図面の簡単な説明】
【００５６】
【図１】図１は本発明のダンボール製物品整理箱の実施形態１を示し、組立状態の斜視図である。
【図２】図２は同じく長手方向の断面図である。
【図３】図３は同じく物品を箱本体内に収納した物品収納時に数個の箱本体を積重ねた状態の斜視図である。
【図４】図４は同じく物品を箱本体内に収納した物品収納時に数個の箱本体を積重ねた状態の長手方向の断面図である。
【図５】図５は同じく支持板部を箱本体内の底部に伏倒して物品を収納しない非物品収納時の斜視図である。
【図６】図６は同じく非物品収納時に箱本体を積重ねた状態の斜視図である。
【図７】図７は同じく長手方向に交差する方向の断面図である。
【図８】図８は同じく積み重ね状態での箱本体の底部空間を示す拡大断面図である。
【図９】図９は同じく積み重ね状態の箱本体の長手方向を示す断面図である。
【図１０】図１０は同じく本実施形態１を構成する支持板部を示す展開図である。
【図１１】図１１は同じく本実施形態１を構成する仕切板を示す展開図である。
【図１２】図１２は同じく本実施形態１を構成する止着部品を示す拡大断面図である。
【図１３】図１３は同じく本実施形態１のダンボール製物品整理箱における箱本体を構成する展開図である。
【図１４】図１４は本実施形態２を示し、組立状態の斜視図である。
【図１５】図１５は同じく支持板部を箱本体内の底部に伏倒して物品を収納しない非物品収納時の斜視図である。
【図１６】図１６は同じく物品を箱本体内に収納した物品収納時に数個の箱本体を積重ねた状態の長手方向の断面図である。
【図１７】図１７は同じく積み重ね状態の箱本体の長手方向を示す断面図である。
【図１８】図１８は支持板部を箱本体内の底部に伏倒して物品を収納しない非物品収納時に箱本体を積み重ねた長手方向の断面図である。
【図１９】図１９は同じく長手方向に交差する方向の断面図である。
【図２０】図２０は本実施形態２の支持板部を構成する展開図である。
【図２１】図２１は同じく仕切板を示す展開図である。
【符号の説明】
【００５７】
１      箱本体
１ａ    下底部
２      底板
３      側板
４      妻板
５      接合フラップ
６      支持板部
６′    支持板部
７      鍔板
７′    鍔板
８      雌取付材
９      雄取付材
１０    止着部品
１１    確認孔
Ｍ      物品
Ｘ      長手方向
【図１】
2007118969.tif 000003
【図２】
2007118969.tif 000004
【図３】
2007118969.tif 000005
【図４】
2007118969.tif 000006
【図５】
2007118969.tif 000007
【図６】
2007118969.tif 000008
【図７】
2007118969.tif 000009
【図８】
2007118969.tif 000010
【図９】
2007118969.tif 000011
【図１０】
2007118969.tif 000012
【図１１】
2007118969.tif 000013
【図１２】
2007118969.tif 000014
【図１３】
2007118969.tif 000015
【図１４】
2007118969.tif 000016
【図１５】
2007118969.tif 000017
【図１６】
2007118969.tif 000018
【図１７】
2007118969.tif 000019
【図１８】
2007118969.tif 000020
【図１９】
2007118969.tif 000021
【図２０】
2007118969.tif 000022
【図２１】
2007118969.tif 000023